(57)【要約】【課題】画面上に指示体を用いて文字等の描画を行う際に、描画がしやすいプロジェクターを提供する。【解決手段】プロジェクター１は、補助線モードの開始操作を受け付けると（ステップＳ１０１）、補助線を表示させ（ステップＳ１０２）、補助線モード終了操作を受け付けるか（ステップＳ１１１：Ｙ）、描画しない状態が時間Ｔ１を経過すると（ステップＳ１１３：Ｙ）、補助線を消去し、補助線モードを終了する（ステップＳ１１４）。【選択図】図５
2015115682.tif 000002
【特許請求の範囲】
【請求項１】
画像を表示する表示手段を備えた画像表示装置であって、
前記表示手段により表示された画像に対応する画像データ内において、指示体の指し示す位置を表す位置情報を検出する位置検出手段と、
前記位置情報に応じて前記画像データ内に描画データを生成し、描画させる描画手段と、
前記画像データ内に１つ以上の補助線を表示させる補助線表示手段と、
前記描画時に前記補助線を表示し、描画終了時に当該補助線を消去する補助線モードを設定するモード設定手段と、
前記補助線モードにおいて、前記描画時に前記補助線表示手段により前記補助線を表示させる制御手段と、
を備えることを特徴とする画像表示装置。
【請求項２】
請求項１に記載の画像表示装置であって、
前記モード設定手段は、前記位置検出手段が前記画像データ内の所定の領域に対する前記指示体による指示を検出した場合に、前記補助線モードを開始することを特徴とする画像表示装置。
【請求項３】
請求項２に記載の画像表示装置であって、
前記制御手段は、前記補助線モード開始後、前記指示体による前記描画の開始前に、前記指示体の位置に所定の長さの前記補助線を表示させると共に、前記指示体の移動に合わせて前記補助線を移動させることを特徴とする画像表示装置。
【請求項４】
請求項１から３のいずれか一項に記載の画像表示装置であって、
前記モード設定手段は、前記描画開始後、前記位置検出手段が前記画像データ内の所定の領域に対する前記指示体による指示を検出した場合、または前記指示体による描画が所定時間なされなかったときに、前記補助線モードを終了することを特徴とする画像表示装置。
【請求項５】
請求項１から４のいずれか一項に記載の画像表示装置であって、
前記制御手段は、前記描画開始後、描画された前記描画データの位置に応じて、前記補助線を平行方向に追加、または前記補助線の長さを延長することを特徴とする画像表示装置。
【請求項６】
光源と、前記光源から射出された光を画像データに応じて変調し、投写する画像投写手段とを備えたプロジェクターであって、
前記画像投写手段により投写された投写画像内において、指示体の指し示す位置を表す位置情報を検出する位置検出手段と、
前記位置情報に応じて前記投写画像に描画データを生成し、描画する描画手段と、
前記画像データ内に１つ以上の補助線を表示させる補助線表示手段と、
前記描画時に前記補助線を表示し、描画終了時に当該補助線を消去する補助線モードを設定するモード設定手段と、
前記補助線モードにおいて、前記描画時に前記補助線表示手段により前記補助線を表示させる制御手段と、
を備えることを特徴とするプロジェクター。
【請求項７】
画像を表示する表示手段を備えた画像表示装置の制御方法であって、
前記表示手段により表示された画像に対応する画像データ内において、指示体の指し示す位置を表す位置情報を検出する位置検出ステップと、
前記位置情報に応じて前記画像データ内に描画データを生成し、描画させる描画ステップと、
前記画像データ内に１つ以上の補助線を表示させる補助線表示ステップと、
前記描画時に前記補助線を表示し、描画終了時に当該補助線を消去する補助線モードを設定するモード設定ステップと、
前記補助線モードにおいて、前記描画時に前記補助線表示ステップにより前記補助線を表示させる制御ステップと、
を備えることを特徴とする画像表示装置の制御方法。
【発明の詳細な説明】
【技術分野】
【０００１】
本発明は、画像を表示する画像表示装置、プロジェクター、および画像表示装置の制御方法に関する。
【背景技術】
【０００２】
従来、コンピューター等から出力される画像信号に基づく画像をスクリーン等に表示するプロジェクター等の画像表示装置が知られている。
【０００３】
特許文献１には、電子ペンを用いて表示（投写）画像に対して行ったユーザーの操作を、表示装置（プロジェクター）が検出し、ユーザーの操作に関する情報に基づく画像を生成して表示させる電子黒板システム（インタラクティブシステム）が提案されている。このようなインタラクティブシステムにおいて、画像に電子ペンで手書き文字を描画する際には、文字の位置が揃わず、曲がってしまうことがあった。これに対して、特許文献２には、手書き文字を判別し、入力方向を判定してガイド線を生成する手書き文字入力装置が提案されている。
【先行技術文献】
【特許文献】
【０００４】
【特許文献１】特開２０１１−１４０１５４号公報
【特許文献２】特開２０１１−２４２９００号公報
【発明の概要】
【発明が解決しようとする課題】
【０００５】
しかしながら、特許文献２の手書き文字入力装置では、描画画像から基準文字成分を判定する必要があり、文字の形状によっては文字や入力方向が誤検出される可能性があった。また、ガイド線が表示部の端部まで表示されるので、他の描画画像の妨げになる可能性があった。
従って、画面上に指示体（電子ペン等）を用いて文字等の描画を行う際に、描画がしやすい画像表示装置が要望されていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像を表示する表示手段を備えた画像表示装置であって、前記表示手段により表示された画像に対応する画像データ内において、指示体の指し示す位置を表す位置情報を検出する位置検出手段と、前記位置情報に応じて前記画像データ内に描画データを生成し、描画させる描画手段と、前記画像データ内に１つ以上の補助線を表示させる補助線表示手段と、前記描画時に前記補助線を表示し、描画終了時に当該補助線を消去する補助線モードを設定するモード設定手段と、前記補助線モードにおいて、前記描画時に前記補助線表示手段により前記補助線を表示させる制御手段と、を備えることを特徴とする。
【０００８】
本適用例によれば、補助線モードにおいて、描画時に表示画像上に補助線が表示され、描画終了時に補助線が消去される。これにより、補助線を基準にして文字や記号などが描画しやすくなり、また、描画終了時に補助線が消去されるので、補助線が描画データや画像データの妨げになることを防止することができる。
【０００９】
［適用例２］上記適用例に記載の画像表示装置において、前記モード設定手段は、前記位置検出手段が前記画像データ内の所定の領域に対する前記指示体による指示を検出した場合に、前記補助線モードを開始することが好ましい。
【００１０】
本適用例によれば、指示体の操作によって、描画時に補助線を表示させる補助線モードを開始させるので、画像データを投写中の所望するときに補助線を表示させて効率的に描画することができる。
【００１１】
［適用例３］上記適用例に記載の画像表示装置において、前記制御手段は、前記補助線モード開始後、前記指示体による前記描画の開始前に、前記指示体の位置に所定の長さの前記補助線を表示させると共に、前記指示体の移動に合わせて前記補助線を移動させることが好ましい。
【００１２】
本適用例によれば、補助線モードにおける描画開始時に、指示体の位置に所定の長さの補助線を表示させ、指示体の移動に合わせて補助線が移動することにより、補助線を表示する位置を、自由に指定することができる。
【００１３】
［適用例４］上記適用例に記載の画像表示装置において、前記モード設定手段は、前記描画開始後、前記位置検出手段が前記画像データ内の所定の領域に対する前記指示体による指示を検出した場合、または前記指示体による描画が所定時間なされなかったときに、前記補助線モードを終了することが好ましい。
【００１４】
本適用例によれば、補助線モードにおける描画時に、指示体により指示されたとき、または所定時間描画が行われなかったときに、補助線モードを終了する。これにより、補助線を表示させる描画中に補助線が不要になったときは、指示体による指示で直ちに補助線を消去し、描画をしばらく行わなかったときは自動的に補助線を消去し、補助線モードを終了させることができる。
【００１５】
［適用例５］上記適用例に記載の画像表示装置において、前記制御手段は、前記描画開始後、描画された前記描画データの位置に応じて、前記補助線を平行方向に追加、または前記補助線の長さを延長することが好ましい。
【００１６】
本適用例によれば、補助線モードにおける描画中に、描画データに応じて、補助線が延長または追加されるので、文字や記号の描画範囲が大きくなった場合や、行を変えて描画を始めた場合に、特別な操作なしに、補助線を延長または追加することができる。
【００１７】
［適用例６］本適用例に係るプロジェクターは、光源と、前記光源から射出された光を画像データに応じて変調し、投写する画像投写手段とを備えたプロジェクターであって、前記画像投写手段により投写された投写画像内において、指示体の指し示す位置を表す位置情報を検出する位置検出手段と、前記位置情報に応じて前記投写画像に描画データを生成し、描画する描画手段と、前記画像データ内に１つ以上の補助線を表示させる補助線表示手段と、前記描画時に前記補助線を表示し、描画終了時に当該補助線を消去する補助線モードを設定するモード設定手段と、前記補助線モードにおいて、前記描画時に前記補助線表示手段により前記補助線を表示させる制御手段と、を備えることを特徴とする。
【００１８】
本適用例によれば、補助線モードにおいて、描画時にプロジェクターの投写画像上に補助線が投写され、描画終了時に補助線が消去される。これにより、補助線を基準にして文字や記号などが描画しやすくなり、また、描画終了時に補助線が消去されるので、補助線が描画データや投写画像データの妨げになることを防止することができる。
【００１９】
［適用例７］本適用例に係る画像表示装置の制御方法は、画像を表示する表示手段を備えた画像表示装置の制御方法であって、前記表示手段により表示された画像に対応する画像データ内において、指示体の指し示す位置を表す位置情報を検出する位置検出ステップと、前記位置情報に応じて前記画像データ内に描画データを生成し、描画させる描画ステップと、前記画像データ内に１つ以上の補助線を表示させる補助線表示ステップと、前記描画時に前記補助線を表示し、描画終了時に当該補助線を消去する補助線モードを設定するモード設定ステップと、前記補助線モードにおいて、前記描画時に前記補助線表示ステップにより前記補助線を表示させる制御ステップと、を備えることを特徴とする。
【００２０】
本適用例によれば、補助線モードにおいて、描画時に表示画像上に補助線が表示され、描画終了時に補助線が消去される。これにより、補助線を基準にして文字や記号などが描画しやすくなり、また、描画終了時に補助線が消去されるので、描画データや画像データの妨げにならない。
【図面の簡単な説明】
【００２１】
【図１】本実施形態のプロジェクターの使用形態を示す説明図。
【図２】電子ペンの外観図。
【図３】プロジェクターの回路構成を示すブロック図。
【図４】文字描画と補助線表示時の画面遷移を示す図。
【図５】プロジェクターの動作を示すフローチャート。
【発明を実施するための形態】
【００２２】
以下、図面を参照して本発明の一実施形態であるプロジェクターについて説明する。
なお、以下の実施形態は特許請求の範囲にかかる発明を限定するものではなく、また、実施形態における特徴の組み合わせの全てが発明の解決手段に必須であるとは限らない。
【００２３】
（実施形態）
図１は、本実施形態のプロジェクター１の使用形態を示す説明図である。
図１に示すように、プロジェクター１はユーザーＨの頭上に天吊り設置され、ユーザーＨはプロジェクター１が画像を投写する投写面ＳＣ上で電子ペン４０を使って描画操作を行う。プロジェクター１は、後で説明するペン操作検出手段２５（図３参照）により電子ペン４０が指し示す位置情報などの操作情報を検出する。そして、プロジェクター１は、電子ペン４０の描画操作に基づく描画データＤ１を画像データＧ１に合成し、画像として投写面ＳＣに投写する。
なお、以降の説明において、「データを画像として投写面に投写（表示）する」という表現を、「データを投写（表示）する」などと省略して記述する。
【００２４】
図２は、電子ペン４０の外観図である。
図２に示すように、電子ペン４０は先端が尖ったペン型の筐体４０Ａを有し、筐体４０Ａの先端には、ペン先スイッチ４０Ｂと、赤外光を発する発光部４０Ｃとを備えている。後述するプロジェクター１のペン操作検出手段２５が赤外光を撮像し、電子ペン４０の操作位置を検出する。本実施形態においては、電子ペン４０が指示体に相当する。
【００２５】
図３は、本実施形態のプロジェクター１の回路構成を示すブロック図である。
図３に示すように、プロジェクター１は、画像入力端子６、表示手段としての画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、電源端子３０、電源部３１等で構成されており、これらは図示しないプロジェクター１の筐体の内部、または外面に収容されている。
【００２６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面ＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によって投写面ＳＣ等に拡大投写される。
【００２９】
本実施形態では、光源１１として光源ランプ１１ａを用いて投写するプロジェクター１を例示したが、本発明は光源としてＬＥＤ（Light emitting diode）光源やレーザー光源等を用いて投写するプロジェクターにも適用することができる。
【００３０】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）等、他の表示方式の光変調装置を採用しても良い。
【００３１】
画像信号入力手段１８は、複数の画像入力端子６により、ビデオ再生装置やパーソナルコンピューター等、外部の画像出力装置から、図示しないケーブル、又は通信機器等を介して画像情報が入力される。入力された画像情報は、制御手段２０の指示に基づき、画像信号処理手段１７に出力される。なお、画像信号入力手段１８は、無線通信や光通信等の受信部を備え、外部機器から無線によって画像信号を入力する構成にしてもよい。
【００３２】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３４】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３５】
液晶駆動手段１４がＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３６】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００３７】
制御手段２０は、ペン操作検出手段２５が検出した電子ペン４０の位置情報に基づく描画データを記憶手段２１に保存する。なお、制御手段２０は、画像投写手段１０により、画像データに描画データを重畳させて投写させる描画手段に相当する。また、制御手段２０は、画像投写手段１０により補助線を投写させる補助線表示手段にも相当する。また、制御手段２０は、電子ペン４０による描画時に補助線を投写させる補助線モードを設定するモード設定手段２０１を含んでいる。
【００３８】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。記憶手段２１には、電子ペン４０による描画データや補助線データなどが記憶される。
【００３９】
光源制御手段２２は、制御手段２０の指示に基づいて、光源１１に対する電力の供給と停止とを制御し、光源１１の点灯および消灯を切り替える。
【００４０】
入力操作手段２３は、図示は省略するが、ユーザーＨがプロジェクター１に対して各種指示を行うための複数の操作キーを備え、操作キーは、プロジェクター１の筐体（図示せず）の外面に備えられる本体キーで構成される。
【００４１】
入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４２】
ユーザーＨが入力操作手段２３の各種操作キーを操作すると、入力操作手段２３は、ユーザーＨの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーＨの操作内容に応じた赤外線等の操作信号を発し、リモコン信号受信手段がこれを受信して制御情報として制御手段２０に伝達する。
【００４３】
ペン操作検出手段２５は、位置検出手段に相当するものであり、図示しない撮像素子等で構成されている。ペン操作検出手段２５は、制御手段２０の指示に基づいて、電子ペン４０の操作位置（座標）、およびペン先スイッチ４０Ｂ（図２参照）の押下状態等のペン操作状態を検出し、検出したペン操作情報を制御手段２０に通知する。
【００４４】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に変換した電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４５】
次に、本実施形態に係るプロジェクター１において、電子ペン４０を用いて描画を行う際の、補助線モードにおける投写画像の遷移例を、図４の画面遷移図を用いて説明する。
【００４６】
図４は、文字描画と補助線表示時の画面遷移を示す図である。なお、図４（ａ）は、投写面ＳＣの全体を示し、画像データＧ１およびツールメニューＭ１が投写された状態を示す図である。図４（ｂ）は、投写面ＳＣの全体を示し、電子ペン４０の移動に伴う補助線Ｌ１，Ｌ２の動作を示す図である。また、図４（ｂ）は、描画開始状態を示す図である。
【００４７】
図４（ｃ）〜（ｆ）は、図４（ａ）に示す画像データＧ１の一部となる領域Ａを拡大した図である。そして、図４（ｃ）〜（ｅ）は、描画状態を示す図である。また、図４（ｆ）は、描画終了状態を示す図である。
【００４８】
図４（ａ）に示すように、投写面ＳＣには、一例として、画像データＧ１が画像として投写され、併せて、描画作成用のツールメニューＭ１が投写されている。
なお、ツールメニューＭ１は、電子ペン４０で描画する際の各種操作メニューを集めたものである。ユーザーＨは、このツールメニューＭ１の中で、所望する操作に対応するボタンを電子ペン４０で押下して描画を行う。
【００４９】
本実施形態では、ツールメニューＭ１の補助線モードボタンＢ１は、水平方向に補助線を投写するボタンであり、補助線モードボタンＢ２は、垂直方向に補助線を投写するボタンである。なお、本実施形態では、補助線モードボタンＢ１（Ｂ２）を押下した場合、押下する毎に補助線モードの開始と終了を繰り返す。
なお、投写されたツールメニューＭ１の補助線モードボタンＢ１（Ｂ２）の領域が、画像データＧ１内の所定の領域に相当する。
【００５０】
図４（ａ）に示すように、電子ペン４０により、ツールメニューＭ１の補助線モードボタンＢ１を押下すると、補助線モードが開始し、図４（ｂ）に示すように、描画を開始する描画開始状態に遷移する。
【００５１】
図４（ｂ）に示すように、描画開始状態に遷移した場合、投写面ＳＣの電子ペン４０の指し示す位置に、所定の長さの２つの補助線Ｌ１，Ｌ２が投写される。そして、電子ペン４０を移動させると、電子ペン４０の位置に合わせて補助線Ｌ１，Ｌ２も移動する。ここで、電子ペン４０を投写面ＳＣに押し当ててペン先スイッチ４０Ｂを操作すると、図４（ｃ）に示すように、描画を行う描画状態に遷移する。
【００５２】
図４（ｃ）に示すように、描画状態に遷移した場合、補助線Ｌ１，Ｌ２の位置は固定される。そして、電子ペン４０により描画操作を行うと、描画データＤ１が順次生成され、画像データＧ１に重畳されて描画される。図４（ｃ）では、「Ｎｅｗ」の文字を描画している。この状態で描画を継続し、描画データＤ１が補助線Ｌ１，Ｌ２の範囲を超えると、図４（ｄ）に示す状態に遷移する。
【００５３】
具体的には、図４（ｄ）に示すように、図４（ｃ）の状態から電子ペン４０により描画した「Ｍ」の文字の位置に合わせ、補助線Ｌ１，Ｌ２が右方向に延長される。さらに、右方向に描画を継続すると、補助線Ｌ１，Ｌ２がさらに延長される。ここで、現在描画中の位置の下の行に描画を行うと、図４（ｅ）に示す状態に遷移する。
【００５４】
図４（ｅ）に示すように、行を変えて描画を続けると、新たな描画位置に合わせ、補助線Ｌ２の下方向に、補助線Ｌ１，Ｌ２と平行な方向に補助線Ｌ３が新たに追加され投写される。なお、図４（ｅ）では、補助線Ｌ２の下方向に補助線Ｌ３を追加しているが、上方向に行を変えた場合には、補助線Ｌ１の上方向で、補助線Ｌ１，Ｌ２と平行な方向に補助線が追加される。
【００５５】
ここで、図４（ａ）に示した補助線モードボタンＢ１を再度押下するか、描画をせずに所定時間経過すると、図４（ｆ）に示すように、描画を終了する描画終了状態に遷移する。
【００５６】
図４（ｆ）に示すように、描画終了状態に遷移した場合、補助線Ｌ１，Ｌ２，Ｌ３が消去され、補助線モードが終了する。そして、投写面ＳＣには画像データＧ１に描画データＤ１が重畳されて投写される。
【００５７】
図４（ａ）〜（ｆ）では水平方向に補助線Ｌ１，Ｌ２，Ｌ３を投写する例を示したが、垂直方向に補助線を投写する場合も同様の動作を行う。この場合、本実施形態では、上述したように、図４（ａ）に示す、ツールメニューＭ１の補助線モードボタンＢ２を押下する。
【００５８】
次に、本実施形態のプロジェクター１の動作を、図５のフローチャートを用いて説明する。
図５は、プロジェクター１の補助線モードにおける動作を示すフローチャートである。
【００５９】
図５に示すように、プロジェクター１が動作中に、電子ペン４０による補助線モードの開始操作を受け付けると（ステップＳ１０１）、モード設定手段２０１は、補助線モードに設定し、ステップＳ１０２に遷移する。補助線モードの開始操作は、図４（ａ）に示したように、ツールメニューＭ１上の補助線モードボタンＢ１を電子ペン４０で押下することで行われる。
【００６０】
ステップＳ１０２において制御手段２０は、ペン操作検出手段２５が検出する電子ペン４０の位置に補助線を投写し、ステップＳ１０３に遷移する。なお、補助線は、図４（ｂ）に示したように、電子ペン４０の移動に合わせて移動する。ここで、ステップＳ１０２が補助線表示ステップに相当する。
【００６１】
ステップＳ１０３において制御手段２０は、描画の開始操作を受け付けたか否かを調べる。具体的には、電子ペン４０のペン先スイッチ４０Ｂが操作されたか否かにより判断する。描画開始操作を受け付けた場合（ステップＳ１０３：Ｙ）には、ステップＳ１０４に遷移する。描画開始操作を受け付けていない場合（ステップＳ１０３：Ｎ）には、ステップＳ１０２に遷移する。
【００６２】
ステップＳ１０４において制御手段２０は、ペン操作検出手段２５が検出する電子ペン４０の操作情報に合わせて描画データを生成し、投写面ＳＣ上に描画する。次にステップＳ１０５に遷移する。なお、ステップＳ１０４が、位置検出ステップおよび描画ステップに相当する。
【００６３】
ステップＳ１０５において制御手段２０は、電子ペン４０による描画データが補助線の範囲を超えたか否かを調べる。具体的には、水平方向に描画している場合、補助線の右端位置を超えて描画しているか否かを調べる。
【００６４】
描画（描画データ）が補助線の範囲を超えた場合（ステップＳ１０５：Ｙ）には、ステップＳ１０６に遷移する。ステップＳ１０６において制御手段２０は、現在投写されている補助線を描画データに合わせて延長する。このときの動作を図４（ｃ）〜（ｄ）に示す。次にステップＳ１０９に遷移する。一方、描画データが補助線の範囲を超えていない場合（ステップＳ１０５：Ｎ）には、ステップＳ１０７に遷移する。なお、ステップＳ１０６が補助線表示ステップに相当する。
【００６５】
ステップＳ１０７において制御手段２０は、電子ペン４０により次の行に描画したか否かを調べる。具体的には、図４（ｄ）に示したように、水平方向に描画している場合、補助線の方向（水平または垂直）とは異なる方向に描画したか否かを調べる。
【００６６】
次の行に描画した場合（ステップＳ１０７：Ｙ）には、ステップＳ１０８に遷移する。ステップＳ１０８において制御手段２０は、現在投写している補助線と平行で新たな描画データの位置に補助線を追加して投写させて、ステップＳ１０９に遷移する。このときの動作を図４（ｅ）に示す。一方、次の行に描画していない場合（ステップＳ１０７：Ｎ）には、ステップＳ１０９に遷移する。なお、ステップＳ１０８が補助線表示ステップに相当する。また、ステップＳ１０２からステップＳ１０９が制御ステップに相当する。
【００６７】
ステップＳ１０９において制御手段２０は、図示しないタイマーによる計時を開始させ、ステップＳ１１０に遷移する。
【００６８】
ステップＳ１１０において制御手段２０は、電子ペン４０によるペン操作を検出したか否かを調べる。ペン操作を検出した場合（ステップＳ１１０：Ｙ）には、ステップＳ１１１に遷移する。ペン操作を検出していない場合（ステップＳ１１０：Ｎ）には、ステップＳ１１３に遷移する。
【００６９】
ステップＳ１１１において制御手段２０は、ステップＳ１１０において受け付けたペン操作が、補助線モードを終了させる操作か否かを調べる。補助線モード終了操作を受け付けた場合（ステップＳ１１１：Ｙ）には、ステップＳ１１４に遷移する。受け付けたペン操作が補助線モード終了操作でない場合（ステップＳ１１１：Ｎ）には、ステップＳ１１２に遷移する。
【００７０】
ステップＳ１１２において制御手段２０は、ステップＳ１１０において受け付けたペン操作が、描画操作か否かを調べる。描画操作を受け付けた場合（ステップＳ１１２：Ｙ）には、ステップＳ１０４に遷移する。受け付けたペン操作が描画操作でない場合（ステップＳ１１２：Ｎ）には、ステップＳ１１０に遷移する。
【００７１】
ステップＳ１１３において制御手段２０は、タイマーによる計時が所定の時間Ｔ１（例：５秒）を経過したか否かを調べる。タイマーが時間Ｔ１を経過した場合（ステップＳ１１３：Ｙ）には、ステップＳ１１４に遷移する。タイマーが時間Ｔ１を経過していない場合（ステップＳ１１３：Ｎ）には、ステップＳ１１０に遷移する。
【００７２】
ステップＳ１１４においてモード設定手段２０１は、投写面ＳＣから補助線を消去し、補助線モードを終了する。次にステップＳ１１５に遷移する。
【００７３】
ステップＳ１１５において本動作フローを終了し、元の処理に戻る。
【００７４】
上述した実施形態によれば、以下の効果を得られる。
本実施形態のプロジェクター１によれば、補助線モードにおいて、電子ペン４０による描画時に投写画像上に補助線Ｌ１，Ｌ２が投写され、描画終了時に補助線Ｌ１，Ｌ２が消去される。これにより、補助線Ｌ１，Ｌ２を基準にして文字や記号などが描画しやすくなり、また、描画終了時に補助線Ｌ１，Ｌ２が消去されるので、補助線Ｌ１，Ｌ２が描画データＤ１や画像データＧ１の妨げになることを防止することができる。
【００７５】
また、電子ペン４０の操作によって、描画時に補助線Ｌ１，Ｌ２を表示させる補助線モードを開始させるので、画像データＧ１を投写中の所望するときに補助線Ｌ１，Ｌ２を表示させて効率的に描画することができる。
【００７６】
また、補助線モードにおける描画開始時に、電子ペン４０の位置に所定の長さの補助線Ｌ１，Ｌ２を表示させ、電子ペン４０の移動に合わせて補助線Ｌ１，Ｌ２が移動することにより、補助線Ｌ１，Ｌ２を表示する位置を、自由に指定することができる。
【００７７】
また、補助線モードにおける描画時に、電子ペン４０による画像データＧ１内の所定の領域に対する指示（本実施形態では、補助線モードボタンＢ１の操作）が行われた場合、または、所定時間描画を行わなかったときに補助線モードを終了する。これにより、補助線を表示させる描画中に補助線が不要になったときは、電子ペン４０による指示で直ちに補助線を消去し、描画をしばらく行わなかったときは自動的に補助線を消去し、補助線モードを終了させることができる。
【００７８】
また、補助線モードにおける描画時に、描画データＤ１に応じて、補助線Ｌ１，Ｌ２が延長、または補助線Ｌ３が追加されるので、文字や記号の描画範囲が大きくなった場合や、行を変えて描画を始めた場合に、特別な操作なしに、補助線を延長または追加することができる。
【００７９】
また、本実施形態は、以下のように変更してもよい。
（変形例１）
上記実施形態において、補助線モードの開始時に、補助線の形状や、最初に表示する補助線の本数などを変更できるようにしてもよい。
【００８０】
（変形例２）
上記実施形態では、指示体は、赤外光を発する電子ペン４０としたが、このような電子ペンに限定するものではない。例えば、可視光を発する指示体としてもよいし、無線通信用電波等を利用するようにしてもよい。また、指示体は、ユーザーの指であってもよい。
【００８１】
（変形例３）
上記実施形態では、インタラクティブ機能を有するプロジェクター１を例にして説明しているが、プロジェクターに限定するものではない。表示される画像に対する入力操作を検出するタッチパネル等を有する画像表示装置であれば、適用することが可能である。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【符号の説明】
【００８２】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…モード設定手段、２１…記憶手段、２２…光源制御手段、２３…入力操作手段、２５…ペン操作検出手段、３０…電源端子、３１…電源部、４０…電子ペン、４０Ａ…筐体、４０Ｂ…ペン先スイッチ、４０Ｃ…発光部、Ｇ１…画像データ、Ｄ１…描画データ、Ｌ１，Ｌ２，Ｌ３…補助線、ＳＣ…投写面。
【図１】
2015115682.tif 000003
【図２】
2015115682.tif 000004
【図３】
2015115682.tif 000005
【図４】
2015115682.tif 000006
【図５】
2015115682.tif 000007